(57)【特許請求の範囲】
【請求項１】
発泡倍率を３０倍程度としてその圧縮強度を地面の固化した土と同等乃至それ以上とした躯体をなす発泡樹脂基体と，該発泡樹脂基体の表面に張設固定した天然石，擬石，タイル，レンガ等を備えた外構構築物の上記発泡樹脂基体の下方埋込部の下方埋込部を掘削穴に直埋めすることによって該外構構築物を起立固定する外構構築物の地面埋込固定の方法であって，該外構構造物を設置する位置に発泡樹脂基体の下方埋込部を直埋めする該下方埋込部より大きく掘削した掘削穴を掘削する掘削工程と，該掘削によって掘り起こされた掘削土にセメント系固化剤を混合する固化剤混合工程と，掘削穴の底にセメント系固化剤を混合した掘削土を所定厚さに敷き配置するとともにこれを突き固めて掘削穴の底を水平にして底面の埋め戻し充填部を形成する底部充填工程と，該水平にした底部に載置して下方埋込部を掘削穴に直埋めする発泡樹脂基体設置工程と，掘削穴の側面と下方埋込部との空隙にセメント系固化剤を混合した掘削土を埋め戻して上記埋め戻し充填部を配置する埋め戻し工程と，発泡樹脂基体の表面に上記天然石，擬石，タイル，レンガ等を張設固定する張設工程とを備えることを特徴とする門，塀等外構構造物の地面埋込固定方法。
【請求項２】
上記固化剤混合工程におけるセメント系固化剤の混合比率を５ｗｔ％以上とすることを特徴とする請求項１に記載の門，塀等外構構造物の地面埋込固定方法。
【請求項３】
上記固化剤混合工程におけるセメント系固化剤の混合比率を１０±５ｗｔ％混合とすることを特徴とする請求項１に記載の門，塀等外構構造物の地面埋込固定方法。
【請求項４】
上記掘削工程の掘削穴の面積及び深さを規格化し且つ該規格化掘削穴の掘削土に対する混合比率を１０±５ｗｔ％とするように定量化した掘削穴１ヶ所分用のセメント固化剤のパッケージを用い，該パッケージのセメント固化剤全量を掘削穴１ヶ所の掘削土に混合して，上記固化剤混合工程を行うことを特徴とする請求項１に記載の門，塀等外構構造物の地面埋込固定方法。
【請求項５】
上記セメント系固化剤を，セメント，石灰及び水ガラスを含有したセメント系固化剤とすることを特徴とする請求項１，２，３又は４に記載の門，塀等外構構造物の地面埋込固定方法。
【発明の詳細な説明】
【０００１】
【発明の属する技術分野】
本発明は門柱，塀等の外構構造物を地面に起立設置するに用いる門，塀等外構構造物の地面埋込固定方法に関する。
【０００２】
【従来の技術】
発泡樹脂の基体を使用して，これに天然石，擬石，レンガ，タイル等を張設固定することによって，現場施行のものと外観を共通にするとともに強度と耐久性にすぐれる一方，軽量にして現場作業を可及的に効率よく行なえるようにした発泡樹脂製の門柱，塀等の外構構造物は，本出願人が実用化したことによって知られている。
【０００３】
【発明が解決しようとする課題】
しかし乍らこの場合，発泡樹脂の基体は，その下端に地中埋込用の支柱を突設したものとし，その地面への起立設置は，例えば地面に掘削穴を掘削し，該掘削穴の底面に割栗石を敷き，これに外構構造物の支柱下端を載置し，その後に基礎コンクリートを現場打ちして，表面に掘削穴の掘削土を埋め戻しすることによって行なうものとされるため，発泡樹脂の基体に支柱を設置する必要があること，割栗石，セメント，砂，砂利等の資材等を現場に搬入する必要があること等によって工事が煩雑になること，基礎コンクリートの固化に時間が掛かり，工期が延びること等によって，更に工事が煩雑であることの傾向を生じ易い。
【０００４】
本発明はかかる事情に鑑みてなされたもので，その解決課題とするところは，現場作業を簡易且つ確実に効率よくなし得るようにした外構構造物の地面埋込固定方法を提供するにある。
【０００５】
【課題を解決するための手段】
上記課題にそって鋭意研究した結果，発泡樹脂をこれら外構構造物の躯体をなす基体として使用可能な程度の，例えば３０倍程度（好ましくは３０±５倍）の発泡倍率とした場合，その圧縮強度は地面に固化している土と同等乃至それ以上とし得るため，発泡樹脂基体を掘削穴に直埋めすることによって，基礎コンクリートの現場打ちを必要とすることなく，その確実な起立固定をなし得ること，このとき直埋めのために地面に掘削穴を形成する必要があるが，一般に掘削穴は直埋め対象より大きくなるため，直埋め後に掘削土の埋め戻しを行なうが，この埋め戻しの掘削土が地面の圧縮強度と同等に復帰する前に降雨があったりすると，埋め戻した掘削土による固定が不十分になり，例えば強風等の水平荷重によって傾斜したりする可能性を残す結果となること，砂系の地面は比較的この影響を受け難いが，粘土質，ローム質の順で影響が顕著になり，単なる直埋めは降雨の影響を直接且つ確実に受けることになるところ，掘削土に対してセメント系固化剤を混合して固化することによって降雨の影響を略確実に回避できることを見出して，本発明を行なうに至ったものであって，即ち請求項１に記載の発明を，発泡倍率を３０倍程度としてその圧縮強度を地面の固化した土と同等乃至それ以上とした躯体をなす発泡樹脂基体と，該発泡樹脂基体の表面に張設固定した天然石，擬石，タイル，レンガ等を備えた外構構築物の上記発泡樹脂基体の下方埋込部の下方埋込部を掘削穴に直埋めすることによって該外構構築物を起立固定する外構構築物の地面埋込固定の方法であって，該外構構造物を設置する位置に発泡樹脂基体の下方埋込部を直埋めする該下方埋込部より大きく掘削した掘削穴を掘削する掘削工程と，該掘削によって掘り起こされた掘削土にセメント系固化剤を混合する固化剤混合工程と，掘削穴の底にセメント系固化剤を混合した掘削土を所定厚さに敷き配置するとともにこれを突き固めて掘削穴の底を水平にして底面の埋め戻し充填部を形成する底部充填工程と，該水平にした底部に載置して下方埋込部を掘削穴に直埋めする発泡樹脂基体設置工程と，掘削穴の側面と下方埋込部との空隙にセメント系固化剤を混合した掘削土を埋め戻して上記埋め戻し充填部を配置する埋め戻し工程と，発泡樹脂基体の表面に上記天然石，擬石，タイル，レンガ等を張設固定する張設工程とを備えることを特徴とする門，塀等外構構造物の地面埋込固定方法とし，請求項２に記載の発明は，セメント系固化剤の好ましい添加量を示すように，これを，上記固化剤混合工程におけるセメント系固化剤の混合比率を５ｗｔ％以上とすることを特徴とする請求項１に記載の門，塀等外構構造物の地面埋込固定方法とし，請求項３に記載の発明は，セメント系固化剤の特に好ましい添加量をしめすように，これを，上記固化剤混合工程におけるセメント系固化剤の混合比率を１０±５ｗｔ％混合とすることを特徴とする請求項１に記載の門，塀等外構構造物の地面埋込固定方法とし，請求項４に記載の発明は，現場で掘削した掘削穴の掘り起こしによって得られる掘削土にパッケージされたセメント固化剤の全量を混合することによって直ちに好ましい添加量の埋め戻し用の掘削土を得られて，更に簡易且つ効率よい現場工事を可能とするよ��に，これを，上記掘削工程の掘削穴の面積及び深さを規格化し且つ該規格化掘削穴の掘削土に対する混合比率を１０±５ｗｔ％とするように定量化した掘削穴１ヶ所分用のセメント固化剤のパッケージを用い，該パッケージのセメント固化剤全量を掘削穴１ヶ所の掘削土に混合して，上記固化剤混合工程を行うことを特徴とする請求項１に記載の門，塀等外構構造物の地面埋込固定方法とし，請求項５に記載の発明は，上記セメント系固化剤を，特に石灰，水ガラスを含有するセメント系固化剤を混合して埋め戻しを行なうことによって，掘削土の水分との水和反応を生じて掘削土を特に水ガラスの針状結晶によって架橋し，スピーディにして確実な外構構造物の起立固定を可能とするように，これを，上記セメント系固化剤を，セメント，石灰及び水ガラスを含有したセメント系固化剤とすることを特徴とする請求項１，２，３又は４に記載の門，塀等外構構造物の地面埋込固定方法とし，これらをそれぞれ発明の要旨として，上記課題又はこれと各課題解決の手段としたものである。
【０００６】
【発明の実施の形態】
以下図面の例に従って本発明を更に具体的に説明すれば，Ａは，本例において門柱とした外構構造物，１はその発泡樹脂基体，２は該発泡樹脂基体１の表面に張設固定した，例えば石調に形成した無機質材による擬石，３はこれら擬石２間の同じく無機質材による目地，４は下方埋込部であり，本例の発泡樹脂基体１は，例えばポリスチレン樹脂を，例えば３０倍の発泡倍率で発泡し，必要に応じて強度に影響しない範囲で中心部を中空とした，中実又は中心に中空部を形成した直方体としてあり，本例にあって上記擬石２の張設固定及び目地３の形成は，工事現場で接着モルタル，接着剤等の接着手段によって現場施工によって，これを行なうようにしてあり，これによって，例えば搬送時に生じることある擬石２のクラック発生を防止するとともに，擬石２の張設固定により重量が嵩み，現場工事の効率を低下させるのを防止するようにしてある。
【０００７】
外構構造物Ａは，その発泡樹脂基体１の下方埋込部４を該下方埋込部４より大きく掘削した掘削穴１０に直埋めするとともに該掘削穴１０と上記下方埋込部４の底面及び外周との間の空隙にセメント系固化剤を混合した掘削土を埋め戻し充填配置して，これを地面に埋込固定したものとしてある。
【０００８】
即ち本例にあって外構構造物Ａの下方埋込部４は，掘削穴１０の下部及び周囲に埋め戻し充填部１１を配置し，該埋め戻し充填部１１によって下方埋込部４を埋込固定し，外構構造物Ａを地面に起立固定してあり，このとき上記セメント系固化剤を混合することによって，その下方埋込部４の埋込固定を確実にするようにしてある。
【０００９】
本例にあって上記セメント系固化剤を混合した掘削土，即ち上記埋め戻し充填部１１は，これを掘削土に対してセメント系固化剤を５ｗｔ％以上混合したものとし，このとき本例のセメント系固化剤は，これを掘削土に対して１０±５ｗｔ％，特に１０ｗｔ％混合したものとする一方，該セメント系固化剤を，セメント，石灰及び水ガラスを含有したセメント系固化剤によるものとしてあり，これにより掘削土の水分との水和反応を生じ掘削土を特に水ガラスの針状結晶によって架橋し，スピーディにして確実に下方埋込部４を埋込固定するようにしてある。
【００１０】
セメント系固化剤を５ｗｔ％以上としたのは，５ｗｔ％を下回るとセメント系固化剤混合の効果を期待することができず，また好ましい形態として１０±５ｗｔ％としたのは，５ｗｔ％を下回ると掘削土の固化が必ずしも十分に得られない場合が残る一方，１５ｗｔ％を上回ると，掘削土の固化において一般に問題はないが，外構構造物の起立設置の面からセメント系固化剤に無駄を生じたり地表面の盛上がりを生じたりするからである。
【００１１】
これを外構構造物Ａの躯体をなす発泡樹脂基体１の下方埋込部４を掘削穴１０に直埋めすることによって該外構構築物Ａを起立固定する地面埋込固定方法によって説明すれば，該外構構造物Ａを設置する位置に発泡樹脂基体１の下方埋込部４を直埋めする該下方埋込部４より大きく掘削した掘削穴１０を掘削する掘削工程と，該掘削によって掘り起こされた掘削土にセメント系固化剤を混合する固化剤混合工程と，掘削穴１０の底にセメント系固化剤を混合した掘削土を所定厚さに敷き配置するとともにこれを突き固めて掘削穴１０の底を水平にして底面の埋め戻し充填部を形成する底部充填工程と，該水平にした底部に載置して下方埋込部４を掘削穴１０に直埋めする発泡樹脂基体設置工程と，掘削穴１０の側面と下方埋込部４との空隙にセメント系固化剤を混合した掘削土を埋め戻して上記埋め戻し充填部１１を配置する埋め戻し工程と，発泡樹脂基体Ａの表面に上記天然石，擬石，タイル，レンガ等，本例にあっては上記擬石２を張設固定する張設工程とを備えて，これを行なうものとしてある。
【００１２】
このとき上記掘削工程の掘削穴１０の面積及び深さを規格化し且つ該規格化掘削穴１０の掘削土に対する混合比率を１０±５ｗｔ％とするように定量化した掘削穴１ヶ所分用のセメント固化剤のパッケージを用い，該パッケージのセメント固化剤全量を掘削穴１ヶ所の掘削土に混合して，上記固化剤混合工程を行うものとしてあり，これによって現場で掘削した掘削穴１０の掘り起こしによって得られる掘削土にパッケージされたセメント固化剤の全量を混合することによって直ちに好ましい添加量の埋め戻し用の掘削土を得られて，更に簡易且つ効率よい現場工事を可能とするようにしてあり，本例にあって上記発泡樹脂基体１の下方埋込部４に対して，掘削穴１０の大きさを定め，その掘削土に対して，例えば紙袋等の１袋にパッケージしたセメント系固化剤を所定の量とし，これにより掘り起こした掘削土にセメント系固化剤を添加混合することによって，重量比約１０ｗｔ％のセメント系固化剤を混合した埋め戻し用の掘削土を直ちに得られるようにしてある。
【００１３】
一般に掘削土は水分を含有しているから，セメント系固化剤はそのままこれに混合すればよいが，例えば砂系のものを含めて乾燥状態にある掘削土にあっては必要に応じて水を添加混合して上記水和反応を促進するようにすればよく，これによって本例のセメント系固化剤は，その水ガラスの針状結晶による掘削土の架橋を得ることができる。
【００１４】
このとき本例にあっては，セメント系固化剤がアルカリ性であるため，外構構造物Ａの近傍に植物を植栽すると，これが枯れる可能性が強いから，上記埋め戻し充填部１１（１１ｂ）を地表からやや低めに設定してその表層にセメント系固化剤を混合しない埋め戻し層を配置して，植物の植栽を可能とするようにしてある。
【００１５】
本例の外構構造物Ａは，その後に発泡樹脂基体１の表面に擬石２を，目地３を形成しながら張設固定することによって，その設置の現場工事を完了する。
【００１６】
図示した例は以上のとおりとしたが，外構構造物を塀やその他のものとすること，擬石に代えて，天然石，レンガ，タイルを使用すること等を含めて，本発明の実施に当って，外構構造物の地面埋込固定方法，その発泡樹脂基体の下方埋込部，セメント系固化剤等の各具体的工程，構造，材質，用途，量，これらの関係，これらに対する付加等は，上記発明の要旨に反しない限り様々の形態とすることができる。
【００１７】
【発明の効果】
本発明は以上のとおりに構成したので，請求項１に記載の発明は，外構構造物の躯体をなす基体として使用可能な程度の，例えば３０倍程度の発泡倍率にして圧縮強度を地面の固化した土と同等乃至それ以上とした発泡樹脂基体を用い，該発泡樹脂基体の下部埋込部を掘削穴に直埋めすることによって，基礎コンクリートの現場打ちを必要とすることなく，確実な起立固定と現場作業を簡易且つ確実に効率よくなし得るとともに埋め戻しの掘削土にセメント系固化剤を混合して固化することによって降雨の影響を略確実に回避できるようにした外構構造物の地面埋込固定方法を提供することができ，請求項２に記載の発明は，セメント系固化剤の好ましい添加量のものとでき，請求項３に記載の発明は，セメント系固化剤の特に好ましい添加量のものとでき，請求項４に記載の発明は，現場で掘削した掘削穴の掘り起こしによって得られる掘削土にパッケージされたセメント固化剤の全量を混合することによって直ちに好ましい添加量の埋め戻し用の掘削土を得られて，更に簡易且つ効率よい現場工事を可能とすることができ，請求項５に記載の発明は，上記セメント系固化剤を，特に石灰，水ガラスを含有するセメント系固化剤を混合して埋め戻しを行なうことによって，掘削土の水分との水和反応を生じて掘削土を特に水ガラスの針状結晶によって架橋し，スピーディにして確実な外構構築物における発泡樹脂基体の起立固定を可能とすることができる。
【図面の簡単な説明】
【図１】  掘削穴と外構構造物の関係を示す斜視図である。
【図２】  外構構造物の地面への起立固定状態を示す縦断面図である。
【図３】  外構構造物の横断面図である。
【符号の説明】
Ａ  外構構造物
１  発泡樹脂基体
２  擬石
３  目地
１０  掘削穴
１１  埋め戻し充填部
【図１】
0003862455.tif 000002
【図２】
0003862455.tif 000003
【図３】
0003862455.tif 000004